(57)【特許請求の範囲】
【請求項１】
中継する中継基板と、
該中継基板の一端に取り付けられた平衡伝送用プラグ本体と、
該中継基板の他端に接続された平衡伝送用ケーブルと、
側壁部を有する第１のシールドハーフカバーと側壁部を有する導電性の第２のシールドハーフカバーとが組合わされてなり、該中継基板、平衡伝送用プラグ本体、及び平衡伝送用ケーブルの中継基板への接続部分を覆うシールドカバー組立体とをする構成である平衡伝送用コネクタにおいて、
上記第１のシールドハーフカバーの側壁部及び第２のシールドハーフカバーの側壁部は、その端縁が対向するように設けてあり、
且つ、上記第１のシールドハーフカバーの側壁部の端縁及び第２のシールドハーフカバーの側壁部の端縁は、その幅方向上異なる位置に、突き出して該側壁部の長手方向に延在する補助壁部を有する構成であり、
第１のシールドハーフカバーと第２のシールドハーフカバーとが組合わされた状態で、第１のシールドハーフカバーの側壁部と第２のシールドハーフカバーの側壁部とは、その端縁が対向し、且つ、第１のシールドハーフカバーの側壁部の補助壁部と第２のシールドハーフカバーの側壁部の補助壁部とは、側壁部の端縁の幅方向上に並んでいる構成とし、
上記第１、第２のシールドハーフカバーは、両側に外側の側壁部と内側の側壁部とを有し、
内側の側壁部の端縁が、前記構成を有し、
外側の側壁部は、内側の側壁部の端縁が突き合わさっている高さ位置に対してずれた高さ位置で端縁が突き合わさっている構成としたことを特徴とする平衡伝送用コネクタ。
【請求項２】
中継する中継基板と、
該中継基板の一端に取り付けられた平衡伝送用プラグ本体と、
該中継基板の他端に接続された平衡伝送用ケーブルと、
側壁部を有する第１のシールドハーフカバーと側壁部を有する導電性の第２のシールドハーフカバーとが組合わされてなり、該中継基板、平衡伝送用プラグ本体、及び平衡伝送用ケーブルの中継基板への接続部分を覆うシールドカバー組立体とをする構成である平衡伝送用コネクタにおいて、
上記第１のシールドハーフカバーの側壁部及び第２のシールドハーフカバーの側壁部は、その端縁が対向するように設けてあり、
且つ、上記第１のシールドハーフカバーの側壁部の端縁及び第２のシールドハーフカバーの側壁部の端縁は、その幅方向上異なる位置に、突き出して該側壁部の長手方向に延在する補助壁部を有する構成であり、
第１のシールドハーフカバーと第２のシールドハーフカバーとが組合わされた状態で、第１のシールドハーフカバーの側壁部と第２のシールドハーフカバーの側壁部とは、その端縁が対向し、且つ、第１のシールドハーフカバーの側壁部の補助壁部と第２のシールドハーフカバーの側壁部の補助壁部とは、側壁部の端縁の幅方向上に並んでいる構成とし、
上記第１のシールドハーフカバーの側壁部の補助壁部と第２のシールドハーフカバーの側壁部の補助壁部とは、側壁部の端縁の幅方向上密着して並んでいる構成とし、
上記第１、第２のシールドハーフカバーは、両側に外側の側壁部と内側の側壁部とを有し、
内側の側壁部の端縁が、前記構成を有し、
外側の側壁部は、内側の側壁部の端縁が突き合わさっている高さ位置に対してずれた高さ位置で端縁が突き合わさっている構成としたことを特徴とする平衡伝送用コネクタ。
【請求項３】
中継する中継基板と、
該中継基板の一端に取り付けられた平衡伝送用プラグ本体と、
該中継基板の他端に接続された平衡伝送用ケーブルと、
側壁部を有する第１のシールドハーフカバーと側壁部を有する導電性の第２のシールドハーフカバーとが組合わされてなり、該中継基板、平衡伝送用プラグ本体、及び平衡伝送用ケーブルの中継基板への接続部分を覆うシールドカバー組立体とをする構成である平衡伝送用コネクタにおいて、
上記第１のシールドハーフカバーの側壁部及び第２のシールドハーフカバーの側壁部は、その端縁が対向するように設けてあり、
且つ、上記第１のシールドハーフカバーの側壁部の端縁及び第２のシールドハーフカバーの側壁部の端縁は、一方に凸条部を有し、他方に該凸条部に対応する溝部を有する構成であり、
第１のシールドハーフカバーと第２のシールドハーフカバーとが組合わされた状態で、第１のシールドハーフカバーの側壁部と第２のシールドハーフカバーの側壁部とは、その端縁が対向し、且つ、上記凸条部と上記溝部とが嵌合した構成とし、
上記第１、第２のシールドハーフカバーは、両側に外側の側壁部と内側の側壁部とを有し、
内側の側壁部の端縁が、前記構成を有し、
外側の側壁部は、内側の側壁部の端縁が突き合わさっている高さ位置に対してずれた高さ位置で端縁が突き合わさっている構成としたことを特徴とする平衡伝送用コネクタ。
【請求項４】
請求項１乃至３のうち何れか一項記載の平衡伝送用コネクタにおいて、
第１のシールドハーフカバーは、平衡伝送用コネクタの先端側に、第２のシールドハーフカバーの長手方向の一端部を係止する係止部を有し、
第２のシールドハーフカバーは、一端部を上記第１のシールドハーフカバーの係止部に係止され、ケーブル側の端を第１のシールドハーフカバーにねじによって固定されて、両側の側壁部同士がその端縁を突き合わされてなる構成としてある平衡伝送用コネクタ。
【請求項５】
中継する中継基板と、
該中継基板の一端に取り付けられた平衡伝送用プラグ本体と、
該中継基板の他端に接続された平衡伝送用ケーブルと、
側壁部を有する第１のシールドハーフカバーと側壁部を有する導電性の第２のシールドハーフカバーとが組合わされてなり、該中継基板、平衡伝送用プラグ本体、及び平衡伝送用ケーブルの中継基板への接続部分を覆うシールドカバー組立体とをする構成である平衡伝送用コネクタにおいて、
上記平衡伝送用プラグ本体は、
合成樹脂製のブロック内に、対をなす第１、第２の信号コンタクトと、板状のグランドコンタクトとが、所定のピッチで交互に並んで組み込まれている構造であり、
全て若しくは一部のグランドコンタクトは、先端に切欠部を有する構成であり、
合成樹脂製のブロックは、
両側に第１、第２の信号コンタクトが挿入される信号コンタクト用溝と、
中央を貫いてグランドコンタクトが挿入されるスリット部とを有し、
先端に切欠部を有するグランドコンタクトが挿入されるスリット部については、上記切欠部に対応しており、スリット部の先端を繋ぐ繋ぎ部を有する構成としたことを特徴とする平衡伝送用コネクタ。
【発明の詳細な説明】
【０００１】
【発明の属する技術分野】
本発明は平衡伝送用コネクタに係り、特に、データを平衡伝送する部分に適用されて、コンピュータと周辺機器との接続に使用されるケーブル付きの平衡伝送用コネクタに関する。
【０００２】
パーソナルコンピュータと周辺機器間を接続するのには、ケーブルの両端にコネクタを有するケーブル付きコネクタが使用される。ケーブルの端のコネクタをパーソナルコンピュータ及び周辺機器に接続することによって、パーソナルコンピュータと周辺機器との間で、データが伝送される。
【０００３】
データの伝送の方式としては、データごとに一本の電線を使用する通常の伝送方式と、データごとに対をなす二本の電線を使用して、伝送すべき＋信号とこの＋信号とは大きさが等しく逆向きの−信号とを同時に伝送すると平衡伝送方式がある。平衡伝送方式は、通常の伝送方式に比べてノイズの影響を受けにくいという利点を有しており、多く採用されつつある。
【０００４】
近年のパーソナルコンピュータやそのネットワークの発達に伴い、各システムは特に動画像の大量のデータを伝送することが求められている。動画像の大量のデータを伝送するためには、データを１Ｇｂｉｔ／秒以上の高速度で伝送する必要がある。
【０００５】
データの伝送速度が１Ｇｂｉｔ／秒以上という高速度になると、信号の波長が短くなって、コネクタの内部で発生した電磁波がコネクタの外部に漏れ出し易くなる。このため、ケーブル付き平衡伝送用コネクタについても、電磁的妨害（ＥＭＩ；Electromagnetic Interference）対策を講ずる必要がある。
【０００６】
【従来の技術】
本出願人は先に特開２０００−０６８００７号、発明の名称「ケーブル付き平衡伝送用コネクタ」を出願した。このケーブル付き平衡伝送用コネクタは、平衡伝送用プラグを、シールドカバー組立体内に組み込んでなる構成である。平衡伝送用プラグは、合成樹脂製のブロック内に、対をなす第１、第２の信号コンタクトと、板状のグランドコンタクトとが、所定のピッチで交互に並んで組み込まれている構造である。
【０００７】
一般に、シールドカバー組立体は、図１（Ａ）、（Ｂ）に示す構成である。
【０００８】
図１（Ａ）のシールドカバー組立体１４０は、第１のシールドハーフカバー１４１と第２のシールドハーフカバー１４５とが組合わされている構成である。第１のシールドハーフカバー１４１の側壁部１４２，１４３の平面状の端縁が、第２のシールドハーフカバー１４５の側壁部１４６，１４７の平面状の端縁と突きあわされている。
【０００９】
図１（Ｂ）のシールドカバー組立体１５０は、第１のシールドハーフカバー１５１と第２のシールドハーフカバー１５５とが組合わされている構成である。第１のシールドハーフカバー１５１の側壁部１５２，１５３が第２のシールドハーフカバー１５５の側壁部１５６，１５７の内側に位置している。側壁部１５２と側壁部１５６とが重なっており、側壁部１５３と側壁部１５７とが重なっている。
【００１０】
【発明が解決しようとする課題】
図１（Ａ）のシールドカバー組立体１４０においては、側壁部１４２，１４３の平面状の端縁と側壁部１４６，１４７の平面状の端縁とが突きあわされている部分には、部分的に電気的な隙間が形成され易く、しかも、隙間は、シールドカバー組立体１４０の内部と外部とを直線的にむすぶものとなる。ここで、電気的な隙間とは、電磁波が通り抜け得る大きさの隙間をいう。よって、シールドカバー組立体１４０はコネクタの内部で発生した電磁波がコネクタの外部に漏れ出すことを制限する電磁シールド性が不十分であった。
【００１１】
図１（Ｂ）のシールドカバー組立体１５０においては、側壁部１５２と側壁部１５６とが重なっており、且つ、側壁部１５３と側壁部１５７とが重なっている構成であるため、組合わされた第１のシールドハーフカバー１５１と第２のシールドハーフカバー１５５との間に電気的な隙間が形成され難くなり、図１（Ａ）のシールドカバー組立体１４０に比べて電磁シールド性は良好となる。しかし、側壁部同士が重なることによって、シールドカバー組立体１５０の幅寸法Ｌが長くなって、平衡伝送用コネクタのサイズが大きくなってしまう不都合があった。
【００１２】
そこで、本発明は上記課題を解決した平衡伝送用コネクタ装置を提供することを目的とする。
【００１３】
【課題を解決するための手段】
請求項１の発明は、中継する中継基板と、
該中継基板の一端に取り付けられた平衡伝送用プラグ本体と、
該中継基板の他端に接続された平衡伝送用ケーブルと、
側壁部を有する第１のシールドハーフカバーと側壁部を有する導電性の第２のシールドハーフカバーとが組合わされてなり、該中継基板、平衡伝送用プラグ本体、及び平衡伝送用ケーブルの中継基板への接続部分を覆うシールドカバー組立体とをする構成である平衡伝送用コネクタにおいて、
上記第１のシールドハーフカバーの側壁部及び第２のシールドハーフカバーの側壁部は、その端縁が対向するように設けてあり、
且つ、上記第１のシールドハーフカバーの側壁部の端縁及び第２のシールドハーフカバーの側壁部の端縁は、その幅方向上異なる位置に、突き出して該側壁部の長手方向に延在する補助壁部を有する構成であり、
第１のシールドハーフカバーと第２のシールドハーフカバーとが組合わされた状態で、第１のシールドハーフカバーの側壁部と第２のシールドハーフカバーの側壁部とは、その端縁が対向し、且つ、第１のシールドハーフカバーの側壁部の補助壁部と第２のシールドハーフカバーの側壁部の補助壁部とは、側壁部の端縁の幅方向上に並んでいる構成とし、
上記第１、第２のシールドハーフカバーは、両側に外側の側壁部と内側の側壁部とを有し、
内側の側壁部の端縁が、前記構成を有し、
外側の側壁部は、内側の側壁部の端縁が突き合わさっている高さ位置に対してずれた高さ位置で端縁が突き合わさっている構成としたことを特徴とする。
【００１４】
第１のシールドハーフカバーの側壁部の補助壁部と第２のシールドハーフカバーの側壁部の補助壁部とが並んだ構成は、第１のシールドハーフカバーの側壁部の端縁と第２のシールドハーフカバーの側壁部の端縁とが突き合わされた部分を、電気的に隙間の無い状態とする。また、補助壁部は側壁部の端縁に形成されているため、電気的に隙間の無い状態を、一の側壁部の厚さの寸法範囲内で実現することが可能となる。よって、シールドカバー組立体の幅寸法を増やさないで、中継基板等で発生した電磁波が平衡伝送用コネクタの外部に漏れ出すことを良好に制限することが可能となる。
外側の側壁部の端縁が突き合わさっている位置を、内側の側壁部の端縁が突き合わさっている位置に対してずらした構成は、内側の側壁部の端縁が突き合わさっている位置には外側の側壁部が対向することになり、電磁波が平衡伝送用コネクタの外部へ漏れ出しにくくする。
【００１５】
請求項２の発明は、  中継する中継基板と、
該中継基板の一端に取り付けられた平衡伝送用プラグ本体と、
該中継基板の他端に接続された平衡伝送用ケーブルと、
側壁部を有する第１のシールドハーフカバーと側壁部を有する導電性の第２のシールドハーフカバーとが組合わされてなり、該中継基板、平衡伝送用プラグ本体、及び平衡伝送用ケーブルの中継基板への接続部分を覆うシールドカバー組立体とをする構成である平衡伝送用コネクタにおいて、
上記第１のシールドハーフカバーの側壁部及び第２のシールドハーフカバーの側壁部は、その端縁が対向するように設けてあり、
且つ、上記第１のシールドハーフカバーの側壁部の端縁及び第２のシールドハーフカバーの側壁部の端縁は、その幅方向上異なる位置に、突き出して該側壁部の長手方向に延在する補助壁部を有する構成であり、
第１のシールドハーフカバーと第２のシールドハーフカバーとが組合わされた状態で、第１のシールドハーフカバーの側壁部と第２のシールドハーフカバーの側壁部とは、その端縁が対向し、且つ、第１のシールドハーフカバーの側壁部の補助壁部と第２のシールドハーフカバーの側壁部の補助壁部とは、側壁部の端縁の幅方向上に並んでいる構成とし、
上記第１のシールドハーフカバーの側壁部の補助壁部と第２のシールドハーフカバーの側壁部の補助壁部とは、側壁部の端縁の幅方向上密着して並んでいる構成とし、
上記第１、第２のシールドハーフカバーは、両側に外側の側壁部と内側の側壁部とを有し、
内側の側壁部の端縁が、前記構成を有し、
外側の側壁部は、内側の側壁部の端縁が突き合わさっている高さ位置に対してずれた高さ位置で端縁が突き合わさっている構成としたことを特徴とする。
【００１６】
第１のシールドハーフカバーの側壁部の補助壁部と第２のシールドハーフカバーの側壁部の補助壁部とが並んだ構成は、第１のシールドハーフカバーの側壁部の端縁と第２のシールドハーフカバーの側壁部の端縁とが突き合わされた部分を、電気的に隙間の無い状態とする。また、補助壁部は側壁部の端縁に形成されているため、電気的に隙間の無い状態を、一の側壁部の厚さの寸法範囲内で実現することが可能となる。よって、シールドカバー組立体の幅寸法を増やさないで、中継基板等で発生した電磁波が平衡伝送用コネクタの外部に漏れ出すことを良好に制限することが可能となる。
二つの補助壁部が幅方向上密着している構成は、電気的に隙間の無い状態をより確実に形成する。
外側の側壁部の端縁が突き合わさっている位置を、内側の側壁部の端縁が突き合わさっている位置に対してずらした構成は、内側の側壁部の端縁が突き合わさっている位置には外側の側壁部が対向することになり、電磁波が平衡伝送用コネクタの外部へ漏れ出しにくくする。
【００１７】
請求項３の発明は、中継する中継基板と、
該中継基板の一端に取り付けられた平衡伝送用プラグ本体と、
該中継基板の他端に接続された平衡伝送用ケーブルと、
側壁部を有する第１のシールドハーフカバーと側壁部を有する導電性の第２のシールドハーフカバーとが組合わされてなり、該中継基板、平衡伝送用プラグ本体、及び平衡伝送用ケーブルの中継基板への接続部分を覆うシールドカバー組立体とをする構成である平衡伝送用コネクタにおいて、
上記第１のシールドハーフカバーの側壁部及び第２のシールドハーフカバーの側壁部は、その端縁が対向するように設けてあり、
且つ、上記第１のシールドハーフカバーの側壁部の端縁及び第２のシールドハーフカバーの側壁部の端縁は、一方に凸条部を有し、他方に該凸条部に対応する溝部を有する構成であり、
第１のシールドハーフカバーと第２のシールドハーフカバーとが組合わされた状態で、第１のシールドハーフカバーの側壁部と第２のシールドハーフカバーの側壁部とは、その端縁が対向し、且つ、上記凸条部と上記溝部とが嵌合した構成とし、
上記第１、第２のシールドハーフカバーは、両側に外側の側壁部と内側の側壁部とを有し、
内側の側壁部の端縁が、前記構成を有し、
外側の側壁部は、内側の側壁部の端縁が突き合わさっている高さ位置に対してずれた高さ位置で端縁が突き合わさっている構成としたことを特徴とする。
【００１８】
第１のシールドハーフカバーの側壁部の補助壁部と第２のシールドハーフカバーの側壁部の補助壁部とが並んだ構成は、第１のシールドハーフカバーの側壁部の端縁と第２のシールドハーフカバーの側壁部の端縁とが突き合わされた部分を、電気的に隙間の無い状態とする。また、補助壁部は側壁部の端縁に形成されているため、電気的に隙間の無い状態を、一の側壁部の厚さの寸法範囲内で実現することが可能となる。よって、シールドカバー組立体の幅寸法を増やさないで、中継基板等で発生した電磁波が平衡伝送用コネクタの外部に漏れ出すことを良好に制限することが可能となる。
端縁上の凸条部と溝部とが嵌合した構成は、第１のシールドハーフカバーの側壁部の端縁と第２のシールドハーフカバーの側壁部の端縁とが突き合わされた部分を、一の側壁部の厚さの寸法範囲内で、電気的に隙間の無い状態とする。
外側の側壁部の端縁が突き合わさっている位置を、内側の側壁部の端縁が突き合わさっている位置に対してずらした構成は、内側の側壁部の端縁が突き合わさっている位置には外側の側壁部が対向することになり、電磁波が平衡伝送用コネクタの外部へ漏れ出しにくくする。
【００２１】
請求項４の発明は、請求項１乃至３のうち何れか一項記載の平衡伝送用コネクタにおいて、
第１のシールドハーフカバーは、平衡伝送用コネクタの先端側に、第２のシールドハーフカバーの長手方向の一端部を係止する係止部を有し、
第２のシールドハーフカバーは、一端部を上記第１のシールドハーフカバーの係止部に係止され、ケーブル側の端を第１のシールドハーフカバーにねじによって固定されて、両側の側壁部同士がその端縁を突き合わされてなる構成としたものである。
【００２２】
第２のシールドハーフカバーはその一端部を第１のシールドハーフカバーの係止部に係止されているため、ねじを締めると、第２のシールドハーフカバーの側壁部の端縁の第１のシールドハーフカバーの側壁部の端縁に対する押し付け力が効果的に作用する。
【００２３】
請求項５の発明は、中継する中継基板と、
該中継基板の一端に取り付けられた平衡伝送用プラグ本体と、
該中継基板の他端に接続された平衡伝送用ケーブルと、
側壁部を有する第１のシールドハーフカバーと側壁部を有する導電性の第２のシールドハーフカバーとが組合わされてなり、該中継基板、平衡伝送用プラグ本体、及び平衡伝送用ケーブルの中継基板への接続部分を覆うシールドカバー組立体とをする構成である平衡伝送用コネクタにおいて、
上記平衡伝送用プラグ本体は、
合成樹脂製のブロック内に、対をなす第１、第２の信号コンタクトと、板状のグランドコンタクトとが、所定のピッチで交互に並んで組み込まれている構造であり、
全て若しくは一部のグランドコンタクトは、先端に切欠部を有する構成であり、
合成樹脂製のブロックは、
両側に第１、第２の信号コンタクトが挿入される信号コンタクト用溝と、
中央を貫いてグランドコンタクトが挿入されるスリット部とを有し、
先端に切欠部を有するグランドコンタクトが挿入されるスリット部については、上記切欠部に対応しており、スリット部の先端を繋ぐ繋ぎ部を有する構成としたものである。
【００２４】
合成樹脂製のブロックは、グランドコンタクトが挿入されるためのスリット部によって、櫛歯状となっているけれども、全て若しくは一部の櫛歯部の先端が繋がっており、ブロックの機械的強度は損なわれないようになる。
【００２５】
【発明の実施の形態】
〔第１実施例〕
図２は本発明の一実施例のケーブル付き平衡伝送用コネクタ１０を分解して示し、図３は断面して示す。ケーブル付き平衡伝送用コネクタ１０は、平衡伝送用ケーブル６０の端に平衡伝送用コネクタ１１を有する構成である。Ｘ１−Ｘ２はコネクタ１１の幅方向、Ｙ１−Ｙ２はコネクタ１１の長手方向、Ｚ１−Ｚ２はコネクタ１１の高さ方向である。
【００２６】
平衡伝送用コネクタ１１は、平衡伝送用プラグ本体２０と、平衡伝送用プラグ本体２０の後端（Ｙ２方向端）に半田付けされて固定してある中継基板４０と、中継基板４０のＹ２方向端に接続してある平衡伝送用ケーブル６０と、平衡伝送用プラグ本体２０と中継基板４０と平衡伝送用ケーブル６０の一部とを覆うシールドカバー組立体９０とを有する構成である。平衡伝送用プラグ本体２０と中継基板４０とが、図４に拡大して示すように、平衡伝送用プラグ本体−中継基板組立体５５を構成する。
【００２７】
先ず、平衡伝送用プラグ本体２０について説明する。
【００２８】
平衡伝送用プラグ本体２０は、図５に拡大して示すように、電気絶縁性を有する合成樹脂製のモールド部品であるブロック体２１に、対をなす第１、第２の信号コンタクト３０−１，３０−２と、板状のグランドコンタクト３１とが、Ｘ１−Ｘ２方向に所定のピッチｐで交互に並んで組み込まれている構造である。ブロック体２１は、第１、第２の信号コンタクト３０−１，３０−２と、板状のグランドコンタクト３１とを、相互に電気的に絶縁させると共に所定のピッチで保持する役割を有する。
【００２９】
図６に拡大して示すように、ブロック体２１は、ベース部２２と、ベース部２２の中央よりＹ２方向に突き出している板状の突き出し部２３とを有する。図５は、構造を分かり易くするために、Ｘ１−Ｘ２方向を拡大して示してある。
【００３０】
第１の信号コンタクト３０−１は、棒状のコンタクト本体３０−１ａと、Ｙ１側の端子部３０−１ｂとを有する。第２の信号コンタクト３０−２は、コンタクト本体３０−２ａと、Ｙ１側の端子部３０−２ｂとを有する。
【００３１】
グランドコンタクト３１は、基部３１ａと、基部３１ａからＹ２方向に延在している細長の本体３１ｂと、基部３１ａからＹ１方向にフォーク状に突き出している端子部３１ｃ、３１ｄとを有する。本体３１ｂのＹ２方向端に、凹部３１ｂ１が形成してある。
【００３２】
図６に示すように、ブロック体２１には、第１、第２の信号コンタクト３０−１，３０−２がＹ２側からＹ１方向に挿入されるトンネル２４及び溝２５が形成してあり、且つ、グランドコンタクト３１が挿入されるトンネル２６及びスリット２７がピッチｐで形成されている。スリット２７は突き出し部２３に形成してある。スリット２７は、突き出し部２３を、Ｚ１−Ｚ２方向には貫通しているけれども、Ｙ２方向には貫通していず、Ｙ２方向の端には、上記の凹部３１ｂ１に対応する繋ぎ部２８を有する。突き出し部２３は、スリット２７によって分断されて、櫛歯状とされている。２３ａ，２３ｂ，２３ｃは櫛歯部であり、Ｘ１−Ｘ２方向に並んでいる。しかし、櫛歯部２３ａ，２３ｂ，２３ｃの先端は、繋ぎ部２８によって連結されており、自由端の状態ではない。よって、櫛歯部２３ａ，２３ｂ，２３ｃが折れる等の事故は発生しない。
【００３３】
また、櫛歯部２３ａ，２３ｂ，２３ｃの先端は、繋ぎ部２８によって連結されており、ブロック体２１又は平衡伝送用プラグ本体２０は、Ｙ２端側が凸又は凹となる方向の曲げ力に対する強度は高く、湾曲を起こさない。
【００３４】
平衡伝送用コネクタ１１をジャックに挿入して接続する操作及び引き抜いて接続を解除する操作のときに、平衡伝送用プラグ本体２０にＹ２端側が凸又は凹となる方向の曲げ力が作用する場合がある。この曲げ力によって平衡伝送用プラグ本体が湾曲した場合には、信号コンタクト３０−１、３０−２及びグランドコンタクト３１が変形を起こしてしまう虞れがある。しかし、ブロック体２１又は平衡伝送用プラグ本体２０は、Ｙ２端側が凸又は凹となる方向の曲げ力に対する強度は高く、接続する操作及び接続を解除する操作のときに、湾曲を起こさない。よって、信号コンタクト３０−１、３０−２及びグランドコンタクト３１が変形すること確実に回避される。
【００３５】
ベース部２２のＹ１側には、中継基板４０が嵌合する溝２９が形成してある。
【００３６】
第１、第２の信号コンタクト３０−１，３０−２は、ブロック体２１にＹ２側からＹ１方向に挿入されて組み込まれており、トンネル２６及びスリット２７内に収まっている。グランドコンタクト３１も、ブロック体２１にＹ２側からＹ１方向に挿入されて組み込まれており、トンネル２６及びスリット２７内に収まっており、凹部３１ｂ１が繋ぎ部２８に嵌合している。
【００３７】
次に、中継基板４０について説明する。
【００３８】
図４に示すように、中継基板４０の上面４０ａには、櫛歯状のグランドパターン４１形成してあり、隣合う歯パターン４１ａの間に、配線パターン４２が形成してある。配線パターン４２のＹ１方向の端に、第1の信号線用パッド４３が、Ｙ２方向の端にパッド４４が形成してある。歯パターン４１ａの基部にドレイン線用パッド４５が、先端にパッド４６が形成してある。Ｙ１方向の端の辺４０ｃに沿って、第1の信号線用パッド４３とドレイン線用パッド４５とが交互に並んでいる。Ｙ２方向の端の辺４０ｄに沿って、パッド４４とパッド４６とが交互に並んでいる。
【００３９】
中継基板４０の下面４０ｂには、櫛歯状のグランドパターン４７形成してあり、隣合う歯パターン４７ａの間に、配線パターン４８が形成してある。配線パターン４２の両端に、第２の信号線用パッド４９及びパッド５０が形成してある。歯パターン４７ａの先端にパッド５１が形成してある。辺４０ｃに沿って、第２の信号線用パッド４９と歯パターン４７ａとが交互に並んでいる。辺４０ｄに沿って、パッド５０とパッド５１とが交互に並んでいる。
【００４０】
中継基板４０は、辺４０ｄ側がベース部２２の溝２９に嵌合して、且つ、上面のパッド４４、４６を夫々端子部３０−１ｂ、３１ｃと半田付けされて、且つ、下面のパッド５０、５１を夫々端子部３０−２ｂ、３１ｄと半田付けされて、平衡伝送用プラグ本体２０に機械的に固定され且つ電気的に接続されている。
【００４１】
次に、平衡伝送用ケーブル６０について説明する。
【００４２】
図１及び図７に示すように、平衡伝送用ケーブル６０は、軸線に対して垂直の断面において、外被覆部６１及び電線群用遮蔽網線６２の内側に複数本の電線６３が並んで配されている構造である。各電線６３は、平衡信号伝送用の対をなす第１、第２の被覆導線６４−１、６４−２に加えて、ドイレインワイヤ６５を有する。電線群用遮蔽網線６２の端部、各電線６３の端部は、処理されている。
【００４３】
図１及び図３に示すように、第１の被覆導線６４−１の導線６４−１ａが第1の信号線用パッド４３に、ドイレインワイヤ６５がドレイン線用パッド４５に、第２の被覆導線６４−２の導線６４−２ａが第２の信号線用パッド４９に夫々半田付けされている。
【００４４】
次に、シールドカバー組立体７０について説明する。
【００４５】
図１、図８、及び図９（Ａ）乃至（Ｄ）に示すように、シールドカバー組立体７０は、第１のシールドハーフカバー７１と、この第１のシールドハーフカバーに組合わされる第２のシールドハーフカバー９０とを有する。第１、第２のシールドハーフカバー７１、９０は、導電性であり、非磁性である亜鉛のダイキャストである。
【００４６】
図９（Ａ）乃至（Ｄ）は第１及び第２のシールドハーフカバー７１、９０を概略的に示す。
【００４７】
第１のシールドハーフカバー７１は、Ｙ２端に枠部７２を有し、Ｘ１−Ｘ２方向端に、Ｙ１−Ｙ２方向に延在する壁部７３，７４を有し、且つ、この壁部７３，７４の直ぐ内側にＹ１−Ｙ２方向に延在する内側壁部７５，７６を有し、且つ、Ｙ１側にＸ１−Ｘ２方向に横切る壁部７７及びベース部７８を有する。
【００４８】
内側壁部７５，７６の上端縁は、平面８０、８１上に補助壁部８２、８３が突き出している形状である。補助壁部８２、８３は、内側壁部７５，７６の上端縁のうち内側壁部７５，７６の内側面側の位置に形成してあり、内側壁部７５，７６長手方向（Ｙ１−Ｙ２方向）に延在している。補助壁部８２、８３の厚さｔ１０は、内側壁部７５，７６の厚さｔ１の約半分である。８４，８５は、補助壁部８２、８３の外側の側面であり、傾斜面であり、平面８０、８１に続いている。
【００４９】
枠部７２は、Ｘ１−Ｘ２方向端に、受け部８８，８９を有する。
【００５０】
第２のシールドハーフカバー９０は、Ｙ２端のＸ１−Ｘ２方向の両端に突部９１，９２を有し、Ｘ１−Ｘ２方向端に、Ｙ１−Ｙ２方向に延在する壁部９３，９４を有し、且つ、この壁部９３，９４の直ぐ内側にＹ１−Ｙ２方向に延在する内側壁部９５，９６を有する。内側壁部９５，９６の下端縁は、内側壁部７５，７６の上端縁に対応した形状となっている。即ち、平面１００、１０１上に補助壁部１０２、１０３が突き出している形状である。補助壁部１０２、１０３は、内側壁部９５、９６の下端縁のうち内側壁部９５９６の外側面側の位置に形成してあり、内側壁部９５、９６の長手方向（Ｙ１−Ｙ２方向）に延在している。補助壁部１０２、１０３の厚さｔ１０は、内側壁部９５、９６の厚さｔ１の約半分である。１０４，１０５は、補助壁部１０２、１０３の外側の側面であり、傾斜面であり、平面１００、１０１に続いている。
【００５１】
また、第２のシールドハーフカバー９０は、Ｙ１側にＸ１−Ｘ２方向に横切るベース部９７を有する。
【００５２】
第２のシールドハーフカバー９０は、Ｙ２端の突部９１，９２を夫々受け部８８，８９に係止させて、Ｙ１端のＸ１−Ｘ２方向の両端をねじ１０５、１０６によって第１のシールドハーフカバー７１にねじ止めしてあり、第１のシールドハーフカバー７１の上面を覆っている。ねじ１０６、１０７は、第２のシールドハーフカバー９０のベース部９７の孔９８を通って、第１のシールドハーフカバー７１のベース部７８のねじ孔７９にねじ込んで締めてある。
【００５３】
内側壁部７５と内側壁部９５とは、補助壁部を有する端縁が、図８に拡大して示すように及び図９（Ａ）に示すように、係合し合っている。即ち、補助壁部８２と補助壁部１０２とがＸ１−Ｘ２方向上に並んで、且つ傾斜面８４と傾斜面１０４とが密着して、且つ、補助壁部８２の端面が平面１００に、補助壁部１０２の端面が平面８０に、夫々密着している。よって、内側壁部７５と内側壁部９５の端縁が突きあわされている部分は、電気的な隙間の無い状態となっている。
【００５４】
内側壁部７６と内側壁部９６とは、補助壁部を有する端縁が、図８に拡大して示すように及び図９（Ｂ）に示すように、係合し合っている。即ち、補助壁部８３と補助壁部１０３とがＸ１−Ｘ２方向上に並んで、且つ傾斜面８５と傾斜面１０５とが密着して、且つ、補助壁部８３の端面が平面１０１に、補助壁部１０３の端面が平面８１に、夫々密着している。よって、内側壁部７６と内側壁部９６の端縁が突きあわされている部分は、電気的な隙間の無い状態となっている。
【００５５】
ここで、補助壁部８２と補助壁部１０２とがＸ１−Ｘ２方向上に並んでいる構成、補助壁部８３と補助壁部１０３とがＸ１−Ｘ２方向上に並んでいる構成は、面精度の関係で一部密着の程度が弱くて隙間が形成されている場合であっても、Ｘ１−Ｘ２方向上に並んでいる補助壁部８２、１０２及び８３、１０３が存在することによって、Ｘ１−Ｘ２方向上直線的に貫通する隙間が形成されることを制限する。よって、隙間が一部に形成されている場合でも、電気的な隙間の無い状態となっている。また、このまた、電気的な隙間の無い状態は内側壁部７５，７６、９５，９６の上端縁に工夫をすることによって実現されており、シールドカバー組立体７０のＸ１−Ｘ２方向の寸法Ｌ１は、電気的な隙間の無い状態を実現したことに伴なって少しも増えてはいない。
【００５６】
また、図９（Ｄ）に示すように、壁部７７がベース部９７の内側に当たっており且つベース部７８とベース部９７とが押し当たっており、隙間の無い状態となっている。
【００５７】
また、図３に示すように、平衡伝送用プラグ本体２０のブロック体２１のベース部２２が枠部７２を塞いでいる。
【００５８】
よって、第１、第２の信号コンタクト３０−１、３０−２の端子部３０−１ｂ、３０−２ｂ、中継基板４０、及び電線６３は、周囲を電気的な隙間の無い状態で囲まれており、端子部３０−１ｂ、３０−２ｂ、中継基板４０、及び電線６３から発生した波長の短い電磁波は、シールドカバー組立体７０の内部に閉じ込められ、シールドカバー組立体７０から外への漏れ出しが制限される。
【００５９】
ここで、第２のシールドハーフカバー９０は、突部９１，９２の近くの部分がブロック体２１のベース部２２に当たり、この個所が支点となって、てこの原理で挙動する。ねじ１０６，１０７を締めると、第２のシールドハーフカバー９０には図３中矢印Ａ方向に回動される力が作用する。ここで、第２のシールドハーフカバー９０は突部９１，９２を受け部８８，８９に係止されており、突部９１，９２のＺ１方向への変位は制限されている。よって、ねじ１０６，１０７を締めることによって、第２のシールドハーフカバー９０は、受け部８８，８９に係止されている突部９１，９２を中心に、図３中、矢印Ａ方向に回動される力が作用し、内側壁部９５、９６の下縁が内側壁部７５、７６の上縁に押し付ける力が効果的に作用し、内側壁部９５、９６の下縁が夫々内側壁部７５、７６の上縁に強く押し当たる状態となり、シールドカバー組立体７０のＸ１及びＸ２側のＹ１−Ｙ２方向に沿う部分は、確実に隙間の無い状態となっている。
【００６０】
シールドカバー組立体７０には、第１、第のシールドハーフカバー７１、９０の外側の壁部７３，７４、９３，９４と内側壁部７５，７６、９５，９６との間の空間１０９を利用して、コネクタの接続を解除させる際に引く操作が行われるプルレバー１１０が組み込まれている。また、第１のシールドハーフカバー７１には、プルレバー１１０を引く操作によって拡げられるフック部材１１１が組み込まれている。
【００６１】
図８に示すように、第１、第のシールドハーフカバー７１、９０の外側の壁部７３，７４、９３，９４の突合せ部分の高さ位置Ｈ１は、内側壁部７５，７６、９５，９６の突合せ部分の高さ位置Ｈ２に対して、Ｚ１−Ｚ２方向上、寸法δずれている。この構成によっても、電磁波のシールドカバー組立体７０外への漏れ出し難くなっている。
【００６２】
〔別の実施例〕
次に、別の実施例になるケーブル付き平衡伝送用コネクタついて説明する。
【００６３】
説明の便宜上、ケーブル付き平衡伝送用コネクタを構成する部分のうち、図１に示す構成とは異なる構成を有する部分を説明する。
【００６４】
図１０は、第１の変形例になる平衡伝送用プラグ本体２０Ａを示す。図１１はブロック体２１Ａを示す。櫛歯部のうち欠け易いのは、Ｘ１−Ｘ２方向上両端に位置する櫛歯部である。そこで、Ｘ１−Ｘ２方向上両端に位置する櫛歯部が、繋ぎ部２８によってその内側の櫛歯部と連結されてある構成である。即ち、櫛歯部２３ａと櫛歯部２３ｂとの間は、繋ぎ部２８によって連結されている。両端に位置する櫛歯部２３ａ以外の櫛歯部２３ｂ，２３ｃ，２３ｄの間は、繋ぎ部２８によって連結されてはいない。
【００６５】
両端以外には、凹部３１ｂ１を有しない板状のグランドコンタクト３１Ａが組み込まれている。
【００６６】
図１２は第１の変形例になるシールドカバー組立体７０Ａを示す。
【００６７】
第１のシールドハーフカバー７１Ａの内側壁部７５Ａ，７６Ａは、その端縁に、断面が円の一部である凸条部１２０、１２１を有する。
【００６８】
第２のシールドハーフカバー９０Ａの内側壁部９５Ａ，９６Ａは、その端縁に、断面が円の一部である溝部１２２，１２３を有する。
【００６９】
第１のシールドハーフカバー７１Ａと第２のシールドハーフカバー９０Ａとが組合わされた状態で、内側壁部７５Ａ，７６Ａと内側壁部９５Ａ，９６Ａとは、その端縁が対向し、且つ、凸条部１２０、１２１と溝部１２２，１２３とが嵌合した状態となって、且つ押し当たった状態となり、電気的な隙間の無い状態となる。
【００７０】
凸条部１２０、１２１と溝部１２２，１２３との間に当たりの弱い部分があって部分的に隙間が形成された場合でも、凸条部１２０、１２１が夫々溝部１２２，１２３内に嵌合していることによって、上記の隙間は、Ｘ１−Ｘ２方向に直線的に貫通する隙間とはならず、凸条部１２０、１２１によってブロックされる。
よって、電気的な隙間の無い状態となる。
【００７１】
図１３は第２の変形例になるシールドカバー組立体７０Ｂを示す。
【００７２】
図１２中の断面が円の一部である凸条部及び溝部に代えて、断面が三角形である凸条部及び溝部としたものである。
【００７３】
第１のシールドハーフカバー７１Ｂの内側壁部７５Ｂ，７６Ｂは、その端縁に、断面が三角形である凸条部１３０、１３１を有する。
【００７４】
第２のシールドハーフカバー９０Ｂの内側壁部９５Ｂ，９６Ｂは、その端縁に、断面が三角形である溝部１３２，１３３を有する。
【００７５】
第１のシールドハーフカバー７１Ｂと第２のシールドハーフカバー９０Ｂとが組合わされた状態で、内側壁部７５Ｂ，７６Ｂと内側壁部９５Ｂ，９６Ｂとは、その端縁が対向し、且つ、凸条部１３０、１３１と溝部１３２，１３３とが嵌合した状態となって、且つ押し当たった状態となり、電気的な隙間の無い状態となる。
【００７６】
凸条部１３０、１３１と溝部１３２，１３３との間に当たりの弱い部分があって部分的に隙間が形成された場合でも、凸条部１３０、１３１が夫々溝部１３２，１３３内に嵌合していることによって、上記の隙間は、Ｘ１−Ｘ２方向に直線的に貫通する隙間とはならず、凸条部１３０、１３１によってブロックされる。
よって、電気的な隙間の無い状態となる。
【００７７】
上記の内側壁部７５Ａ，７６Ａ、９５Ａ，９６Ａ、７５Ｂ，７６Ｂ、９５Ｂ，９６Ｂは、凸条部及び溝部を内側壁部の端縁の中央に形成されているため、厚さｔ２が、図８の第１、第２１のシールドハーフカバー７１、９０の内側壁部７５，７６、９５，９６の厚さｔ１に比べて薄くて足りる。
【００７８】
【発明の効果】
以上説明したように、請求項１の発明によれば、第１のシールドハーフカバーの側壁部の補助壁部と第２のシールドハーフカバーの側壁部の補助壁部とが並んだ構成であるため、第１のシールドハーフカバーの側壁部の端縁と第２のシールドハーフカバーの側壁部の端縁とが突き合わされた部分を、電気的に隙間の無い状態にすることが出来る。また、補助壁部は側壁部の端縁に形成されているため、電気的に隙間の無い状態を、一の側壁部の厚さの寸法範囲内で実現することが出来、よって、シールドカバー組立体の幅寸法を増やさないで、中継基板等で発生した電磁波が平衡伝送用コネクタの外部に漏れ出すことを良好に制限することが出来る。
【００７９】
請求項２の発明によれば、請求項１記載の平衡伝送用コネクタにおいて、二つの補助壁部が幅方向上密着している構成であるため、電気的に隙間の無い状態をより確実に形成することが出来る。
【００８０】
請求項３の発明は、端縁上の凸条部と溝部とが嵌合した構成であるため、第１のシールドハーフカバーの側壁部の端縁と第２のシールドハーフカバーの側壁部の端縁とが突き合わされた部分を、一の側壁部の厚さの寸法範囲内で、電気的に隙間の無い状態とすることが出来る。
【００８１】
請求項４の発明は、外側の側壁部の端縁が突き合わさっている位置を、内側の側壁部の端縁が突き合わさっている位置に対してずらした構成であるため、内側の側壁部の端縁が突き合わさっている位置には外側の側壁部が対向することになり、電磁波が平衡伝送用コネクタの外部へ漏れ出しにくく出来る。
【００８２】
請求項５の発明は、第２のシールドハーフカバーはその一端部を第１のシールドハーフカバーの係止部に係止されている状態で、反対側のねじを締めて取り付ける構成であるため、ねじを締めることによって、第２のシールドハーフカバーの側壁部の端縁の第１のシールドハーフカバーの側壁部の端縁に対する押し付け力が効果的に作用して、対向する側壁部の端縁同士が強く押し付けられ、電気的に隙間の無い状態をより確実に形成することが出来る。
【００８３】
請求項６の発明は、平衡伝送用プラグ本体を構成する合成樹脂製のブロックは、グランドコンタクトが挿入されるためのスリット部によって、櫛歯状となっているけれども、全て若しくは一部の櫛歯部の先端が繋がっており、ブロックの機械的強度が損なわれないように出来、よって、コネクタを挿入して接続する操作及び引き抜いて接続を解除する操作において、コンタクトが変形してしまうことの発生を防止することが出来る。
【図面の簡単な説明】
【図１】従来のシールドカバー組立体を示す図である。
【図２】本発明の一実施例になるケーブル付き平衡伝送用コネクタの分解斜視図である。
【図３】図１のケーブル付き平衡伝送用コネクタのＹ−Ｚ面による断面図である。
【図４】平衡伝送用プラグ本体−中継基板組立体の一部を拡大して示す図である。
【図５】平衡伝送用プラグ本体の一部を拡大して示す図である。
【図６】図５中のブロック体の一部を拡大して示す図である。
【図７】平衡伝送用ケーブルの断面図である。
【図８】シールドカバー組立体のＸ−Ｚ面での断面図である。
【図９】シールドカバー組立体を概略的に示す正面図である。
【図１０】第１の変形例になる平衡伝送用プラグ本体の一部を拡大して示す図である。
【図１１】図１０中のブロック体の一部を拡大して示す図である。
【図１２】第１の変形例になるシールドカバー組立体のＸ−Ｚ面での断面図である。
【図１３】第２の変形例になるシールドカバー組立体のＸ−Ｚ面での断面図である。
【符号の説明】
１０  ケーブル付き平衡伝送用コネクタ
１１  平衡伝送用コネクタ
２０  平衡伝送用プラグ本体
２１  ブロック体
２２  ベース部
２３  突き出し部
２３ａ，２３ｂ，２３ｃ  櫛歯部
２７  スリット
２８  繋ぎ部
３０−１，３０−２  第１、第２の信号コンタクト
３１  グランドコンタクト
４０  中継基板
６０  平衡伝送用ケーブル
６３  電線
６４−１、６４−２  被覆導線
６５  ドイレインワイヤ
７０  シールドカバー組立体
７１  第１のシールドハーフカバー
７５，７６  内側壁部
８２、８３  補助壁部
９０  第２のシールドハーフカバー
９５，９６  内側壁部
１０２、１０３  補助壁部
１２０，１２１，１３０，１３１  凸条部
１２２，１２３，１３２，１３３  溝部
【図１】
0004584504.tif 000002
【図２】
0004584504.tif 000003
【図３】
0004584504.tif 000004
【図４】
0004584504.tif 000005
【図５】
0004584504.tif 000006
【図６】
0004584504.tif 000007
【図７】
0004584504.tif 000008
【図８】
0004584504.tif 000009
【図９】
0004584504.tif 000010
【図１０】
0004584504.tif 000011
【図１１】
0004584504.tif 000012
【図１２】
0004584504.tif 000013
【図１３】
0004584504.tif 000014